(57)【要約】【目的】本発明は軽量で、耐候性がよく、メンテナンスフリーの硬質屋根材に関するものである。【構成】略方形板状の硬質屋根材Ａの水下側から水上側に沿って複数個の中空孔Ｈが形成されていると共に、化粧面１の水下側端部には水下側に突出したカバー片２ａを形成し、両端部の中空孔Ｈの側端壁を切り欠いて形成した硬質屋根材Ａである。【選択図】　　　　図１
2004092124.tif 000002
【特許請求の範囲】
【請求項１】
略方形板状の硬質屋根材の水下側から水上側に沿って複数個の中空孔が形成されていると共に、化粧面の水下側端部には水下側に突出したカバー片を形成し、両端部の中空孔の側端壁を切り欠いて形成したことを特徴とする硬質屋根材。
【発明の詳細な説明】
【０００１】
【産業上の利用分野】
本発明は軽量で、耐候性がよく、メンテナンスフリーの硬質屋根材に関するものである。
【０００２】
【従来の技術】
従来、板状の硬質屋根材としては、瓦屋根材、スレート平板屋根材、セメント系平板屋根材、等がある。
【０００３】
【発明が解決しようとする課題】
しかしながら、このら屋根材は、瓦屋根材は重く作業性が悪く、スレート平板屋根材、セメント系平板屋根材は耐候性が悪く数年毎の塗装が必要であった。また、防水性が無く、アスファルトルーフィング等の防水シートで防水性を保つ構造であった。
【０００４】
【課題を解決するための手段】
本発明はこのような欠点を除去するため、略方形板状の硬質屋根材の水下側から水上側に沿って複数個の中空孔が形成されていると共に、化粧面の水下側端部には水下側に突出したカバー片を形成し、両端部の中空孔の側端壁を切り欠いて形成した硬質屋根材を提供するものである。
【０００５】
【実施例】
以下に図面を用いて、本発明に係る硬質屋根材について詳細に説明する。図１（ａ）、（ｂ）〜図３（ａ）、（ｂ）は本発明に係る硬質屋根材の施工状態の一実施例を示す説明図、図４（ａ）、（ｂ）は本発明に係る硬質屋根材とその施工状態の一実施例を示す説明図、図５（ａ）〜（ｅ）は本発明に係る硬質屋根材の一実施例を示す説明図、図６（ａ）〜（ｃ）は本発明に係る硬質屋根材の施工に使用する防水兼固定用敷目板Ｂの一実施例を示す説明図、図７（ａ）、（ｂ）は本発明に係る硬質屋根材の施工に使用する固定部材Ｃの一実施例を示す説明図、図８は固定部材Ｃの施工状態の一実施例を示す説明図である。また、Ｐはパッキング材、αは屋根下地、βは固定具である。なお、屋根下地αは桟木、防水シート、野地板、垂木等からなるものである。勿論、屋根下地αとしては木造下地、あるいは鉄骨下地からなるもの、等任意である。
【０００６】
硬質屋根材Ａは図４（ｂ）、図５（ａ）〜（ｅ）に示すように化粧面１を略方形板状に形成したものであり、水下側に下連結部２、水上側に上連結部３を形成し、左右端部に図では相决り状の右連結部４と左連結部５を形成したものである。
【０００７】
その素材としてはセラミック板、セメント板、炭酸カルシウム板、珪酸カルシウム板、炭酸マグネシウム板、スレート板等、あるいはこれらにガラス繊維、ウィスカー、アラミド繊維、スチール繊維、炭素繊維、各種鉱物繊維、各種骨材等を混入したものを押出成形よって成形したもの、もしくは各種繊維をクロス状、三次元状に織り、これにセメント、粘土等を含浸してパネル状に成形したものを蒸気養生、あるいは焼成したもの、粘土を押出−乾燥−焼成して形成したセラミック板、等からなるものである。また、上記素材にＦＲＰ樹脂シート、合成樹脂シート、耐火シート、等のシート材を裏面等に貼着して強度、耐火性、安全性（壊れても飛散しない）を向上させたりすることも出来るものである。
【０００８】
勿論、セラミック（磁気質）を素材として利用した場合には、セメント系建材で心配される中性化による劣化、褪色がなく、また、吸水率も極めて低い数値であり、凍結融解の恐れもなく、メンテナンスフリーで半永久的に使える硬質屋根材Ａとなる。
【０００９】
化粧面１は意匠性を向上する部分であると共に、上段の硬質屋根材Ａから流れてきた雨水等が上連結部３から浸入しないように形成した防水下地としても機能するものである。
【００１０】
下連結部２と上連結部３は上下方向において重なりあって防水性を強化する部分であると共に、屋根に段差を形成する部分でもある。
【００１１】
下連結部２と上連結部３は図１〜図８に示すように固定部材Ｃを介して固定具βにより屋根下地αに固定されるものである。
【００１２】
右連結部４と左連結部５は図２（ａ）〜（ｃ）に示すように連結され、縦目地部において防水性の強化、気密性の強化、施工性の強化（少々ずれても間隙が生じない）、等のために形成したものである。勿論、右連結部４と左連結部５の形状は図の反対でも良いものである。
【００１３】
また、図５（ｂ）に示すように、右連結部４と左連結部５の側端部の側端壁を防水兼固定用敷目板Ｂの係止片９の長さ以上に切り欠いて、切り欠き４ａ、切り欠き５ａを形成するものである。
【００１４】
この切り欠き４ａと切り欠き５ａは、図６（ａ）〜（ｃ）に示すように形成した防水兼固定用敷目板Ｂの係止片９が目地部において、硬質屋根材Ａの右連結部４と左連結部５を固定できるように形成したものである。
【００１５】
なお、硬質屋根材Ａ自体は図示しないが硬質屋根材Ａ自体に形成した固定孔を介して固定具βにより屋根下地αに直接打設して固定したり、図に示すように硬質屋根材Ａを直接打設せずに後記する防水兼固定用敷目板Ｂと固定部材Ｃを利用して固定することも出来るものである。勿論、併用は可能である。
【００１６】
２ａはカバー片であり、水下側の下連結部２の中空孔Ｈの上部の化粧面１を、裏面１ａ側に図では湾曲して垂下させて形成したものであり、雨水が屋根下地α内へ浸入するもを防止するものである。
【００１７】
３ａは防水片であり、水上側の上連結部３の中空孔Ｈの下部の裏面１ａを図では湾曲して上側に屈曲させて形成したものである。
【００１８】
防水溝３ｂは万が一に内部に浸入した雨水を中空孔Ｈを介して下段の硬質屋根材Ａに流下させ、外部に排水するために形成したものである。勿論、夏期等に硬質屋根材Ａ内部の温度を低下させるための、排気路としても機能するものである。
【００１９】
また、図１（ａ）、（ｂ）〜図３（ａ）、（ｂ）に示すように、下連結部２側の裏面１ａの端部で防水溝３ｂを覆い隠さないように施工すると、万が一に内部に浸入し、後記する中空孔Ｈの汚れにより汚染された雨水が、硬質屋根材Ａの化粧面１上に流れ出すことが無く、汚れた雨水により化粧面が汚されることがないものである。
【００２０】
また、防水溝３ｂは、硬質屋根材Ａの水上側端部の裏面１ａ部分を防水溝３ｂの端部に当接して施工する場合には、施工時のストッパとして機能し、施工性が向上するものである。
【００２１】
図７（ａ）、（ｂ）は固定部材Ｃを示すものであり、水平面状の固定面１２と、固定面１２に形成した固定孔１２ａと、固定面１２の一端もしくは途中を垂直に屈曲した立ち上がり片１３と、立ち上がり片１３の先端を固定面１２と平行に屈曲した左右両方の支持片１４と、支持片１４の先端をＬ字状に形成した係合片１５と、係合片１５と支持片１４とからなる断面略コ字状の係合溝１６とから形成したものである。また、その素材や成形方法は前記した防水兼固定用敷目板Ｂと同様なものである。その素材としては、ステンレス、アルミニウム、スチール、銅等の各種鋼板、あるいはプラスチック樹脂、ＦＲＰ樹脂、等から形成したものである。
【００２２】
固定面１２は図８に示すように、屋根下地αに固定具βを介して固定部材Ｃを固定することにより硬質屋根材Ａの水上側を固定する部分であり、立ち上がり部１３をガイドとして下段の硬質屋根材Ａの上連結部３を支持片１４でバタつかないように支持・固定するものである。
【００２３】
支持片１４は硬質屋根材Ａの上連結部３を固定するものである。
【００２４】
係合片１３と係合溝１４は硬質屋根材Ａの下連結部２の中空孔Ｈに挿入されて一体化し、上段の硬質屋根材Ａの下端部を固定するための部分である。
【００２５】
勿論、係合片１５と係合溝１６を削除した固定部材Ｃにより硬質屋根材Ａの上連結部３を固定してもよいものである。この場合には、防水兼固定用敷目板Ｂで硬質屋根材Ａの水下側を固定し、固定部材Ｃにより硬質屋根材Ａの水上側を固定するものである。
【００２６】
Ｈは中空孔であり、水下側から水上側へ貫通した空間であり、押出成型時に形成するものである。この中空孔Ｈは材料の使用量の低減と重量の低減を図ると共に、夏期の屋根面の温度上昇を抑え、家屋内の温度上昇を防止し、さらに万が一の雨水の浸入をこの中空孔Ｈより下段の硬質屋根材Ａの防水溝３ｂ、あるいは化粧面１上に排水し、防水性を強化するものである。
【００２７】
パッキング材Ｐは横目地部分あるいは縦目地部分、もしくは固定具βの頭部分から雨水が浸入しないように形成するものであり、定型で弾性のあるパッキング材Ｐとしては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものであり、主に耐候性、耐酸性、耐水性、防水性、気密性、等の機能として有用なものである。また、これらの成分の中に、耐火性、防火性を有する例えばポリリン酸アンモニウム、水酸化アルミニウム、フェノール樹脂粒、カーボンブラック、グラファイト（発泡、非発泡）等の難燃材を混入することも出来る。
【００２８】
防水兼固定用敷目板Ｂは例えば図６（ａ）〜（ｃ）に示すように、水平面状の敷目部６と敷目部６の左右両端部を上方に突出した防水片７と、敷目部６の下端縁を上方に突出した下片８と、下片８の先端を内側方に突出した係止片９と、下片８と係止片９とから形成した係止溝１０と、敷目部６の上端縁を上方に突出した上片１１とから形成したものである。また、８ａは流水孔であり、敷目部６内に浸入した雨水等を速やかに流下させるのに大変有効である。
【００２９】
敷目部６は縦目地部の裏面に図１（ａ）、（ｂ）〜図３（ａ）、（ｂ）に示すように形成されるものであり、上部の硬質屋根材Ａの裏面１ａに図１（ａ）、（ｂ）〜図３（ａ）、（ｂ）に示すように配置されて上下の硬質屋根材Ａ間に挟持されるものである。なお、図５（ｃ）に示すように硬質屋根材Ａの長さをＬ、図６（ａ）に示すように防水兼固定用敷目板Ｂの長さをｌとすると、Ｌ＝ｌの関係が望ましいものである。勿論、硬質屋根材Ａの重なり寸法により、Ｌ＞ｌ、Ｌ＜ｌの関係でも良いものである。
【００３０】
防水片７は、縦目地部から浸入した雨水等が防水兼取付具Ｂを乗り越えて屋根下地αまで浸入しないように形成し、雨漏り防止、屋根下地αの腐食防止のために形成したものである。
【００３１】
その素材としては、ステンレス、アルミニウム、スチール、銅等の各種鋼板、あるいはプラスチック樹脂、ＦＲＰ樹脂、等から形成したものである。
【００３２】
係止片９は縦目地部において左右の硬質屋根材Ａの右連結部４と左連結部５の水下側の中空孔Ｈに係止され、硬質屋根材Ａの左右端部を屋根下地αに固定するために形成したものである。
【００３３】
以上説明したのは、本発明に係る硬質屋根材の一実施例であり、図９（ａ）〜（ｈ）〜図１７（ａ）〜（ｄ）に示すように形成することも出来るものである。
【００３４】
図９（ａ）〜（ｈ）、図１０（ａ）〜（ｊ）は硬質屋根材Ａのその他の実施例を示す縦断面図である。特に図９（ａ）、（ｂ）、（ｇ）、図１０（ａ）、（ｂ）、（ｇ）、（ｉ）は防水片３ａを下方に形成した硬質屋根材Ａであり、桟木を形成し、桟木上に硬質屋根材Ａを固定する際の位置決めのために形成したものである。
【００３５】
なお、防水片３ａが裏面１ａ側に突出して形成される場合には、縦目地部裏面に形成される防水兼固定用敷目板Ｂが存在する部分の防水片３ａは施工上邪魔になるので、防水兼固定用敷目板Ｂの幅だけ左右端部を切り欠いて形成されているものである。
【００３６】
図９（ｇ）、（ｈ）、図１０（ｇ）、（ｈ）は上段の硬質屋根材Ａの施工位置とストッパとして機能する施工目印３ｃを形成した硬質屋根材Ａである。
【００３７】
図１１（ａ）〜（ｍ）は硬質屋根材Ａの横断面図のその他の実施例を示す端面図である。
【００３８】
勿論、新生瓦のように、硬質屋根材Ａの上下方向の重なりを硬質屋根材Ａの幅の１／２以上として防水性を強化することも出来るものである。
【００３９】
図１２（ａ）〜（ｇ）〜図１６（ａ）〜（ｉ）は防水兼固定用敷目板Ｂのその他の実施例を示す説明図である。また、１１ａは固定片であり、防水兼固定用敷目板Ｂを屋根下地αに固定するための部分である。
【００４０】
図１７（ａ）〜（ｄ）は固定部材Ｃのその他の実施例を示す断面図である。
【００４１】
【発明の効果】
上述したように、本発明に係る硬質屋根材によれば、硬質屋根材に中空孔を形成したために、▲１▼防水性が向上する。▲２▼夏期の屋根面の温度上昇を抑制出来る。▲３▼材料の使用量の低減と重量の低減が図れる。▲４▼セラミック板では耐光性が良い。硬質屋根材には上下方向の重なりの長さよりも短い幅で中空孔と交差する、中空孔まで貫通した防水溝を形成したために、▲５▼防水性が向上する。▲６▼中空孔内を流れた雨水により硬質屋根材の化粧面を汚すことがない。▲７▼中空孔が外部から見えない。等の特徴、効果がある。
【図面の簡単な説明】
【図１】本発明に係る硬質屋根材の施工状態を示す説明図である。
【図２】本発明に係る硬質屋根材の施工状態を示す説明図である。
【図３】本発明に係る硬質屋根材の施工状態を示す説明図である。
【図４】本発明に係る硬質屋根材の施工状態と硬質屋根材を示す説明図である。
【図５】本発明に係る硬質屋根材の代表的な一例を示す説明図である。
【図６】本発明に係る硬質屋根材の施工時に使用する防水兼固定用敷目板の代表的な一例を示す説明図である。
【図７】本発明に係る硬質屋根材の施工時に使用する固定部材の代表的な一例を示す説明図である。
【図８】本発明に係る硬質屋根材の施工状態のその他の実施例を示す説明図である。
【図９】本発明に係る硬質屋根材のその他の実施例を示す説明図である。
【図１０】本発明に係る硬質屋根材のその他の実施例を示す説明図である。
【図１１】本発明に係る硬質屋根材のその他の実施例を示す説明図である。
【図１２】防水兼固定用敷目板のその他の実施例を示す説明図である。
【図１３】防水兼固定用敷目板のその他の実施例を示す説明図である。
【図１４】防水兼固定用敷目板のその他の実施例を示す説明図である。
【図１５】防水兼固定用敷目板のその他の実施例を示す説明図である。
【図１６】防水兼固定用敷目板のその他の実施例を示す説明図である。
【図１７】本発明に係る硬質屋根材の施工時に使用する固定部材のその他の実施例を示す説明図である。
【符号の説明】
Ａ　硬質屋根材
Ｂ　防水兼固定用敷目板
Ｃ　固定部材
Ｈ　中空孔
Ｐ　パッキング材
α　屋根下地
β　固定具
１　化粧面
１ａ　裏面
２　下連結部
２ａ　カバー片
３　上連結部
３ａ　防水片
３ｂ　防水溝
３ｃ　施工目印
４　右連結部
５　左連結部
６　敷目部
７　防水片
８　下片
８ａ　流水孔
９　係止片
１０　係止溝
１１　上片
１１ａ　固定片
１２　固定片
１２ａ　固定孔
１３　立ち上がり片
１４　支持片
１５　係合片
１６　係合溝
【図１】
2004092124.tif 000003
【図２】
2004092124.tif 000004
【図３】
2004092124.tif 000005
【図４】
2004092124.tif 000006
【図５】
2004092124.tif 000007
【図６】
2004092124.tif 000008
【図７】
2004092124.tif 000009
【図８】
2004092124.tif 000010
【図９】
2004092124.tif 000011
【図１０】
2004092124.tif 000012
【図１１】
2004092124.tif 000013
【図１２】
2004092124.tif 000014
【図１３】
2004092124.tif 000015
【図１４】
2004092124.tif 000016
【図１５】
2004092124.tif 000017
【図１６】
2004092124.tif 000018
【図１７】
2004092124.tif 000019